(57)【要約】【課題】  毛髪に対し部分的に強弱が異なるパーマネントウェーブを形成する。【解決手段】  ラッピングペーパー１は中間の遮水層２の両面にラミネートやコーティングにより吸水層３ａ、３ｂを貼り付けた３枚のシートによる三層構造とされている。毛髪を部分的にこのラッピングペーパー１により挟み込んで、このラッピングペーパーを介在した部分と介在しない部分とに異なるパーマ液を塗布して、それぞれパーマネントウェーブを形成し、部分的にウェーブの強弱を与える。【選択図】図１
2017158629.tif 000002
【特許請求の範囲】
【請求項１】
３枚のシートを積層した三層構造から成り、中間は薬液に対する遮水層とし、両面のそれぞれを薬液の吸水層としたことを特徴とするパーマネント用ラッピングペーパー。
【請求項２】
前記遮水層は前記薬液を透過しない合成樹脂から成るシートとしたことを特徴とする請求項１に記載のパーマネント用ラッピングペーパー。
【請求項３】
前記吸水層は保水性を有する紙又は合成樹脂材の不織布から成るシートとしたことを特徴とする請求項１又は２に記載のパーマネント用ラッピングペーパー。
【請求項４】
毛髪の毛先部分には弱く、根元部分には強くパーマネントウェーブを形成する方法であって、前記毛先部分のみにパーマネント液の毛先用第１液を塗布する第１工程と、前記毛先用第１液を塗布した前記毛先部分を、中間の遮水層の両面にそれぞれ吸水層を設けた三層構造のラッピングペーパーを介在しながらロッドの周囲に巻回する第２工程と、前記第２工程に続いて前記ラッピングペーパーを介在せずに前記根元部分を巻回する第３工程と、前記巻回した根元部分にパーマネント液の根元用第１液を塗布する第４工程と、該第４工程の後にウェーブ状態を保持する根元用第２液を塗布する第５工程と、前記根元部分、前記毛先部分の巻回をほどいて前記ラッピングペーパーを除去する第６工程と、前記毛先部分に毛先用第２液を塗布する第７工程とから成ることを特徴とするラッピングペーパーを用いたパーマネントウェーブ形成方法。
【請求項５】
前記第２工程において、前記ラッピングペーパーは２つ折りして前記毛先部分を挟み込むようにしたことを特徴とする請求項４に記載のラッピングペーパーを用いたパーマネントウェーブ形成方法。
【発明の詳細な説明】
【技術分野】
【０００１】
本発明は、毛髪にパーマネントウェーブを形成する際に使用するパーマネント用ラッピングペーパー及び該ラッピングペーパーを用いたパーマネントウェーブ形成方法に関するものである。
【背景技術】
【０００２】
美容院等では、毛髪にパーマネントウェーブを形成するには、主にコールドウェーブ法が採用されている。このコールドウェーブ法において、パーマネントウェーブを形成する際に、通常では合成樹脂製のロッドに和紙等のペーパーを巻いてから水に濡らした毛髪を巻き付ける手法が採られている。この手法によれば、毛髪をロッドに対して滑らず巻き付けることができるという利点がある。
【０００３】
しかし、一般に毛髪は毛先にゆくほど、過去のパーマ歴などにより損傷度が大きく、毛髪の毛先部分に根元部分と同様の強さでパーマネントウェーブを形成すると、毛先部分に必要以上の負荷を与えたり、或いは毛先部分を基準として強さを加減すると、根元部分にはウェーブが殆ど形成されないという不具合がある。
【０００４】
従来の浸透性の高い和紙等のペーパーの使用で生じた上述の不具合に対して、特許文献１、２には上述の不具合を回避するぺーパーが開示されている。特許文献１、２には毛髪の必要部分のみにパーマネントウェーブを形成するために、吸水層の片面に遮水層を設けた二層構造の四角形のペーパーが開示されている。このペーパーは根元部分にのみウェーブを形成し、毛先部分はストレートな状態を保持するために使用される。
【０００５】
ここで、吸水層は紙や合成樹脂製の不織布によるシートとされ、遮水層はポリエチレン、ポリエステル、塩化ビニル等の合成樹脂のシートとされ、これらのシートが接着されている。
【０００６】
このペーパーの使用に際しては、パーマネントウェーブを形成しない毛先部分をロッドと共に包むようにして巻き付け、更にその上に、ウェーブを形成すべき根元部分の毛髪をペーパーを介在することなく巻回する。続いて、根元部分にパーマネント液の第１液、更には時間をおいて酸化液の第２液を塗布すると、液は内側のペーパーで包まれた毛先部分までは遮水層の存在のために浸透することなく、毛先部分にはウェーブを形成することがなく、根元部分にのみウェーブを形成することができる。
【０００７】
そして、特許文献１、２のペーパーにおいては、遮水層は上述したように液を遮断するために用いられるが、紙から成る吸水層は毛髪の巻回時において、片側だけではあるが滑りを防止し、作業をし易くする役割を果している。
【先行技術文献】
【特許文献】
【０００８】
【特許文献１】実開昭６３−７１８０４号公報
【特許文献２】実開平１−１６４９０２号公報
【発明の概要】
【発明が解決しようとする課題】
【０００９】
しかし、上述の特許文献１、２で開示されるペーパーを実際に使用してみると、ロッドとの滑りをなくすために吸水層を内側にして毛髪に巻き付けてゆくと、吸水層側の滑りは防止されるが、巻き付けたペーパーの他側である遮水層と毛髪とが接した状態で巻き付けてゆくことになる。遮水層は塩化ビニル等の合成樹脂であるため、この遮水層側においては毛髪に対して滑り易くなり操作性が悪い。
【００１０】
また、必ずペーパーの表裏を間違わずに使用する必要があり、１回のパーマで１００枚も使用するペーパーに対して、表裏の確認作業は手間を要することになる。
【００１１】
また、ペーパーは遮水層と吸水層とが貼り付けられているので、一旦濡れたペーパーは乾燥しても応力の平衡が崩れて丸まってしまい、再度使用することが困難となる。
【００１２】
本発明の第１の目的は、毛髪に対し部分的に強弱が異なるパーマネントウェーブを形成することができるパーマネント用ラッピングペーパー及び該ラッピングペーパーを用いたパーマネントウェーブ形成方法を提供することにある。特に、根元部分のパーマネントウェーブは強く、毛先部分のウェーブは弱く形成するパーマネント用ラッピングペーパー及び該ラッピングペーパーを用いたパーマネントウェーブ形成方法を提供する。
【００１３】
本発明の第２の目的は、ロッドや毛髪に対し滑ることなく、巻き込み易く、操作性が良いパーマネント用ラッピングペーパーを提供することになる。
【００１４】
本発明の第３の目的は、薬液に濡れても、乾燥によって丸まることなく、再使用が可能なパーマネント用ラッピングペーパーを提供することにある。
【課題を解決するための手段】
【００１５】
上記目的を達成するための本発明に係るパーマネント用ラッピングペーパーは、３枚のシートを積層した三層構造から成り、中間は薬液に対する遮水層とし、両面のそれぞれを薬液の吸水層としたことを特徴とする。
【００１６】
また、本発明に係るラッピングペーパーを用いたパーマネントウェーブ形成方法は、毛髪の毛先部分には弱く、根元部分には強くパーマネントウェーブを形成する方法であって、前記毛先部分のみにパーマネント液の毛先用第１液を塗布する第１工程と、前記毛先用第１液を塗布した前記毛先部分を、中間の遮水層の両面にそれぞれ吸水層を設けた三層構造のラッピングペーパーを介在しながらロッドの周囲に巻回する第２工程と、前記第２工程に続いて前記ラッピングペーパーを介在せずに前記根元部分を巻回する第３工程と、前記巻回した根元部分にパーマネント液の根元用第１液を塗布する第４工程と、該第４工程の後にウェーブ状態を保持する根元用第２液を塗布する第５工程と、前記根元部分、前記毛先部分の巻回をほどいて前記ラッピングペーパーを除去する第６工程と、前記毛先部分に毛先用第２液を塗布する第７工程とから成ることを特徴とする。
【発明の効果】
【００１７】
本発明に係るパーマネント用ラッピングペーパー及び該ラッピングペーパーを用いたパーマネントウェーブ形成方法によれば、遮水層の両面に吸水層を貼り付けた三層構造としているので、例えば予めパーマ液を塗布した毛先部分を巻き込むと、毛先部分に塗布したパーマ液は、毛髪の両側の吸水層により保水される。そして、更に巻回した根元部分に毛先部分と異なるパーマ液を塗布しても、この根元部分に塗布したパーマ液は毛先部分に浸透することがない。従って、毛先部分と根元部分とで強度が異なるパーマネントウェーブを形成することができる。
【００１８】
また、本発明のパーマネント用ラッピングペーパー及び該ラッピングペーパーを用いたパーマネントウェーブ形成方法によれば、両面に吸水層が設けられており、この吸水層はロッド、毛髪に対して適度な滑り抵抗を有しているので、毛髪の巻回に際して毛髪に対する滑りが少なく操作性が良い。
【００１９】
更には、本発明のパーマネント用ラッピングペーパーによれば、両面に吸水層が設けられるので、乾燥に際して両面に同じ応力が作用し、片側に曲って丸まることなく、再度の使用の際に良好に扱うことができる。
【図面の簡単な説明】
【００２０】
【図１】実施例のパーマネント用ラッピングペーパーの斜視図である。
【図２】ロッドに対するラッピングペーパーの大きさの説明図である。
【図３】ウェーブ形成工程の説明図である。
【図４】ウェーブ形成工程の説明図である。
【図５】ウェーブ形成工程の説明図である。
【図６】ウェーブ形成工程の説明図である。
【図７】ウェーブ形成工程の説明図である。
【図８】毛髪をロッドに巻回した状態の模式断面図である。
【発明を実施するための形態】
【００２１】
本発明を図示の実施例に基づいて詳細に説明する。
図１は本実施例のラッピングペーパーの斜視図を示し、ラッピングペーパー１は１枚の中間シートを遮水層２とし、その両面にラミネートやコーティングによりそれぞれ１枚ずつのシートを積層して吸水層３ａ、３ｂとした三層構造とされている。ラッピングペーパー１は例えば１０ｃｍ角の正方形又は長方形の大きさであり、遮水層２の厚みは例えば２０μｍ、吸水層３ａ、３ｂの厚みは例えば３０μｍとされている。
【００２２】
遮水層２はポリエチレン、ポリ塩化ビニル等の合成樹脂材で、液の透過を阻止するシートから成り、吸水層３ａ、３ｂは和紙や不織布から成る保水性を有するシートから成っている。
【００２３】
ラッピングペーパー１の大きさは図２に示すように、２つ折りした場合の幅がパーマネントウェーブを形成する際に使用するロッド４の巻取部分の幅と略一致するが、２つ折りせずに使用する場合には短辺部分の幅と略一致している。
【００２４】
なお、吸水層３ａ、３ｂは同材質のものではなく、用途に応じて異なるものを使用したり、吸水層３ａと３ｂとは別異の色のシートを使用することもできる。この場合は、使用時にラッピングペーパー１の表裏の確認作業が必要となる。
【００２５】
図３〜図６はラッピングペーパー１を用いて、毛髪にパーマネントウェーブを形成する場合の説明図を示し、特に毛髪の毛先部分は損傷しているので軽くウェーブを形成し、健康毛である根元部分には強いウェーブを形成する場合を説明する。
【００２６】
（１）図３に示すように、一握りの毛髪Ｈを櫛５により梳きながら整髪し、水で濡らす。
【００２７】
（２）図４に示すように、軽いウェーブを形成する毛先部分Ｔに刷毛６などにより、対応する薬液であるパーマネント液の第１液を塗布する。この毛先用第１液を便宜上、弱パーマ液と呼ぶことにする。
【００２８】
この第１液はチオグリコール酸のアンモニウム液又はシスチン液の還元剤から成り、毛髪の蛋白質の主成分であるシスチンの分子結合を解いて歪みを作るという作用を奏する。また、弱パーマ液の塗布に併せて、毛髪の損傷を修復するトリートメント剤を塗布してもよい。
【００２９】
（３）図５に示すように、ラッピングペーパー１を２つ折りにして毛先部分Ｔを挟み込み、図６に示すように毛先部分Ｔの先端からラッピングペーパー１と共にロッド４の周囲に巻き付ける。なお、２つ折りすることなく、ラッピングペーパーにより毛先部分Ｔを挟み込んでもよい。また、毛先部分Ｔの長さによりラッピングペーパー１の寸法が足りない場合には、ラッピングペーパー１を継ぎ足して使用する。
【００３０】
（４）図７に示すように、更に毛髪Ｈの根元部分Ｂをラッピングペーパー１を介在することなく巻き付けてゆき、巻回した毛髪Ｈを輪ゴム７によりロッド４に固定する。
【００３１】
図８は毛髪Ｈを巻回した状態の模式断面図である。毛先部分Ｔはラッピングペーパー１の吸水層３ａ、３ｂにより挟まれているため、毛先部分Ｔに塗布した第１液は吸水層３ａ、３ｂにより保水され、ラッピングペーパー１を巻きほどかない限り、毛先部分Ｔは吸水層３ａ、３ｂに含まれた弱パーマ液に常時接触していることになる。
【００３２】
（５）巻回した根元部分Ｂの上から、スプレーなどにより根元部分Ｂに対応して強いウェーブを形成するためのパーマネント液の第１液を塗布する。なお、この根元用第１液を便宜上、強パーマ液と呼ぶことにする。弱パーマ液及び強パーマ液は異なる薬液であってもよく、同じ薬液で濃度が異なるようにしてもよい。
【００３３】
この塗布により、根元部分Ｂには強パーマ液がゆき渡るが、この強パーマ液はラッピングペーパー１の遮水層２の介在により、内部の弱パーマ液が塗布された毛先部分Ｔにまで達することはない。
【００３４】
（６）更に、例えば１０〜１５分経過後に、根元部分Ｂの表面から根元部分Ｂ用のパーマ液の第２液を塗布し、根元部分Ｂにおいて強パーマ液の第１液と第２液とを反応させる。この第２液は臭素酸ナトリウム液等の中和剤、酸化剤から成り、新しいシスチンの結合を固定させることにより、ウェーブ状態を保持するという効果を奏する。
【００３５】
（７）根元部分Ｂのパーマネントウェーブが形成された所定時間後に、根元部分Ｂ、毛先部分Ｔのロッド４への巻回をほどいてラッピングペーパー１を除去する。そして、毛先部分Ｔにのみ毛先部分Ｔに対応した第２液を刷毛などで塗布して、先に塗布してある毛先部分Ｔの弱パーマ液と反応させる。このとき、毛先部分Ｔはロッド４に再度巻回してから第２液を塗布してもよいが、毛先部分Ｔのウェーブは軽く形成するので、毛髪Ｈをほどいたまま塗布することができる。
【００３６】
（８）毛先部分Ｔにパーマネントウェーブが形成された後に、毛髪Ｈに付着しているパーマ液等の薬液を洗い流す。
【００３７】
このように本発明に係るラッピングペーパー１を用いることで、毛髪Ｈの毛先部分Ｔにはウェーブを弱く形成し、根元部分Ｂには強く形成することが可能となる。
【００３８】
なお、実施例のように２段階に強弱のパーマネントウェーブを形成するのではなく、上述の手法を応用して、ラッピングペーパー１を使用し、毛先部分、中間部分、根元部分にそれぞれ異なる強さのウェーブを形成することもできる。つまり、毛先部分から毛根部分までの毛髪の損傷具合に応じたウェーブを、適宜の個所に形成することが可能である。
【００３９】
また、使用済みとなったラッピングペーパー１は、乾燥させることで複数回、再利用することができる。ラッピングペーパー１は外した直後には弱パーマ液により濡れていて平面化しており、経時による乾燥によってもこの平面状態が維持される。これは両面の吸水層３ａ、３ｂには同量の弱パーマ液が含有されているため、片面だけが縮み過ぎて全体的に反るということがなく、乾燥後も平面状態を維持できることによる。
【００４０】
また、特許文献１、２のように毛先部分Ｔにはパーマネントウェーブを全く形成せずに、根元部分Ｂにのみウェーブを形成する場合にも、特許文献１、２のペーパーに代えて、本実施例のラッピングペーパー１を使用できることは勿論である。しかし、この場合には本実施例のラッピングペーパー１は両面に吸水層３ａ、３ｂを設けているので、特許文献１、２のペーパーのように毛髪に対して滑り易いということがなく、手順が効率的となる利点がある。
【符号の説明】
【００４１】
１  ラッピングペーパー
２  遮水層
３ａ、３ｂ  吸水層
４  ロッド
Ｈ  毛髪
Ｔ  毛先部分
Ｂ  根元部分
【図１】
2017158629.tif 000003
【図２】
2017158629.tif 000004
【図３】
2017158629.tif 000005
【図４】
2017158629.tif 000006
【図５】
2017158629.tif 000007
【図６】
2017158629.tif 000008
【図７】
2017158629.tif 000009
【図８】
2017158629.tif 000010